(57)【要約】【課題】手入れが容易で、移動及び設置が容易な厚畳をを提供する。【解決手段】厚畳１は座部２及びキャスター３により構成されている。座部２は、畳表２１及び畳縁２２に覆われ、底側が開口又は本質的に開口した矩形に構成され、所要の厚みを有する天板２４及び側板２５１，２５２，２５３，２５４を備え、その内側には枠体２６が設けられている。天板２４は所要数の通気孔２４１が設けられ、天板２４の厚み方向上下に貫通している。畳表２１は天板２４と一対の側板２５１，２５２の表面を覆っている。畳表２１と天板２４の間にはクッション材２８が挟み込まれている。畳縁２２は側板２５３，２５４表面と側板２５３，２５４側の畳表２１縁部の所要幅を覆っている。座部２下方の各角部近傍には着脱可能なキャスター３がそれぞれ設けてあるが、これに替えて支持脚４（図１１参照）を取り付けても良い。【選択図】図１
2007284924.tif 000002
【特許請求の範囲】
【請求項１】
天板と側板を備え、底側が開口又は本質的に開口した箱状に構成された座部と、支持脚または／およびキャスターを備える厚畳であって、
上記天板及び相対する又は向かい合う一対の側板の表側には畳表が設けられ、他の一対の側板の表側には畳縁が設けられており、
座部は、下方に支持脚または／およびキャスターを備えていることを特徴とする、
厚畳。
【請求項２】
天板と側板を備え、底側が開口又は本質的に開口した箱状に構成された座部と、支持脚または／およびキャスターを備える厚畳であって、
上記天板は、厚み方向に貫通した孔が所要数設けられており、
上記天板及び相対する又は向かい合う一対の側板の表側には通気性を備える畳表が設けられ、他の一対の側板の表側には畳縁が設けられており、
座部は、下方に支持脚または／およびキャスターを備えていることを特徴とする、
厚畳。
【請求項３】
畳表と座部の間にクッション材を備えていることを特徴とする、
請求項１または２記載の厚畳。
【請求項４】
支持脚または／およびキャスターは、着脱可能であることを特徴とする、
請求項１，２または３記載の厚畳。
【発明の詳細な説明】
【技術分野】
【０００１】
本発明は、厚畳に関する。更に詳しくは、通気性の良い厚畳であって、移動又は設置が容易なものに関する。
【背景技術】
【０００２】
近年、日本人の生活や嗜好の変化から洋風の住宅やマンションが増加し、それに伴い、洋間のみで構成された住宅等も増えてきた。このような住宅等では表面に木を使った床材又はそれを用いた床（いわゆるフローリング）が使用されている場合が多い。
一方、上記のような洋風住宅等に住んでいるものの、畳の上にも座ったり横臥したいと考える者は少なからず存在する。このような者の中には、洋間の一部に畳等を置くなどして敷物あるいは床構造体として使用したりしている者もいる。
上記のような態様で使用する畳は、古来からの本式な畳よりも、設置及び片づけが容易で、軽量且つ手入れが簡単な畳が好ましい。
そこで、上記のような用途に好適な畳として、下記非特許文献１に示す置き畳が提案されている。
【非特許文献１】い草製品製造販売吉田畳店  ”置き畳/ユニット畳シリウス”インターネット<URL:http://www.h3.dion.ne.jp/~yosida-6/style42/siriusu.htm>
【発明の開示】
【発明が解決しようとする課題】
【０００３】
しかし、非特許文献１にかかる置き畳は厚みが薄く、そのために当該置き畳を床上に直に置いた場合の見た目が安っぽい印象を与えるという課題があった。
また、上記置き畳をフローリング等の部屋で使用した場合、厚みが薄い置き畳とフローリング床面との間は高さの差がほとんどないか又は少ないため、床上の埃や塵が置き畳の上に上がってくることがあり、上記のように畳に横臥等することを好む者にとって衛生上好ましいとはいえない。
【０００４】
他方、我が国には古来から厚畳というものが存在する。通常、厚畳は、一般に使用されている畳より厚く形成されており、床上に設置するものとして適している。
また、厚畳は、畳が現在の形態を確立した平安時代から存在し、かつては貴族の館、武家、寺社などで寝台や座具として使用されていたため、身分の高い者が使用する雅な調度品としての印象を備えている。このため、部屋に厚畳が設置されていると、その部屋は、格調高い又は上品な雰囲気を醸し出す。
【０００５】
しかし、一般的に、厚畳は、通常の畳等に比べて材料を多く使用する分高価であり、また、現在では製作する者も少なく、受注生産等になっているため、入手しづらい。
また、厚畳は、畳床が厚くかなりの重量を有するため、運搬又は部屋の模様替えや掃除の際に設置場所から移動させることが大変であり、更に、手入れを怠るとカビが生えたり、ダニの温床となりやすいので、定期的な手入れも必要である。
【０００６】
（発明の目的）
そこで、本発明の目的は、手入れが容易で、移動及び設置が容易な厚畳を提供することにある。
【課題を解決するための手段】
【０００７】
上記目的を達成するために講じた本発明の手段は次のとおりである。
第１の発明にあっては、
天板と側板を備え、底側が開口又は本質的に開口した箱状に構成された座部と、支持脚または／およびキャスターを備える厚畳であって、
上記天板及び相対する又は向かい合う一対の側板の表側には畳表が設けられ、他の一対の側板の表側には畳縁が設けられており、
座部は、下方に支持脚または／およびキャスターを備えていることを特徴とする、
厚畳である。
【０００８】
第２の発明にあっては、
天板と側板を備え、底側が開口又は本質的に開口した箱状に構成された座部と、支持脚または／およびキャスターを備える厚畳であって、
上記天板は、厚み方向に貫通した孔が所要数設けられており、
上記天板及び相対する又は向かい合う一対の側板の表側には通気性を備える畳表が設けられ、他の一対の側板の表側には畳縁が設けられており、
座部は、下方に支持脚または／およびキャスターを備えていることを特徴とする、
厚畳である。
【０００９】
第３の発明にあっては、
畳表と座部の間にクッション材を備えていることを特徴とする、
第１または第２の発明に係る厚畳である。
【００１０】
第４の発明にあっては、
支持脚または／およびキャスターは、着脱可能であることを特徴とする、
第１、第２または第３の発明に係る厚畳である。
【００１１】
「支持脚または／およびキャスター」は、「支持脚」または「キャスター」のいずれか一方であってもよいし、「支持脚およびキャスター」であってもよい。
【００１２】
（作  用）
本発明に係る厚畳の作用を説明する。
本発明に係る厚畳を設置し、使用する。
上記厚畳の座部は、天板と側板を備え、底側が開口又は本質的に開口した箱状に構成されているので、従来の厚畳と比較して軽量であり、持ち運びが楽である。
また、前述のように、厚畳は身分の高い者に使用されてきた伝統があるので、上記厚畳は、設置した場所或いは空間又は部屋に、高級感あるいは雅趣等の印象を与える。
更に、厚畳は支持脚または／およびキャスターを備えることで所要の地上高が保たれるため、洋室等のフローリング床面に設置した場合、床上の埃や塵が置いた厚畳の座面に上がってこない。このため、使用する者にとって衛生的に好ましい。
【００１３】
なお、厚畳の座部の天板に厚み方向に貫通した孔が所要数設けられ、畳表が通気性を備えるものは、畳表及び座部に設けられた孔を通じて通気が行われる。この結果、畳表あるいは座部天板にカビが発生しにくく、また、ダニが発生しにくい。
【００１４】
畳表と座部の間にクッション材を備えているものは、座部に腰掛ける或いは横臥した際の使用感が向上する。
【００１５】
厚畳の支持脚または／およびキャスターが着脱可能であるものは、設置する場所に応じて、支持脚またはキャスターを取着して設置する。キャスターを取着した厚畳は、押して移動させることができる。なお、厚畳の支持脚及びキャスターは、取り外した状態で設置しても良い。
更に、収納時には、支持脚及びキャスターを取り外すと、厚畳を上下に重ねる、または厚畳を縦にして横に並べることができるので、収納場所を取らない。
【発明の効果】
【００１６】
本発明によれば、次の効果を奏する。
（１）移動が容易で、様々な場所に設置することができ、見た目が良く且つ衛生的な厚畳を提供することができる。
（２）また、通気性が良いために畳表等にカビ等が発生しにくく、手入れが容易な厚畳を提供することができる。
（３）畳表と座部の間にクッション材を備えているものは、座部に腰掛けた或いは横臥した際の使用感が向上した厚畳を提供することができる。
（４）厚畳の支持脚または／およびキャスターが着脱可能であるものは、移動及び設置が容易で、収納時に収納場所を取らない厚畳を提供することができる。
（５）また、前述のように、厚畳は身分の高い者に使用されてきた伝統があるので、上記厚畳は、設置した場所或いは空間又は部屋に、高級感あるいは雅趣等の印象を与えるものとすることができる。
【発明を実施するための最良の形態】
【００１７】
本発明の実施の形態を図面に基づき更に詳細に説明する。
図１は本発明に係る厚畳の上方から見た斜視図、
図２は本発明に係る厚畳の平面図、
図３は本発明に係る厚畳の底面図、
図４は本発明に係る厚畳の左側面図、
図５は本発明に係る厚畳の右側面図、
図６は本発明に係る厚畳の正面図、
図７は本発明に係る厚畳の背面図、
図８は本発明に係る厚畳のａ−ａ断面図、
図９は本発明に係る厚畳のｂ−ｂ断面図、
図１０は車輪を備えた厚畳を下方から見た斜視図、
図１１は支持脚を備えた厚畳を下方から見た分解斜視説明図である。
【００１８】
まず図１に示す厚畳１について説明する。
図１に示す厚畳１は、座部２及びキャスター３により構成されており、座部２は畳表２１及び畳縁２２に覆われている。
【００１９】
図２及び図３を参照する。
座部２は、底側が開口又は本質的に開口した矩形に構成されている。なお、本実施の形態では、座部２は、長手方向及び短手方向共に９１０ｍｍ、高さ１８０ｍｍである。
また、座部２は、所要の厚みを有する天板２４及び側板２５１，２５２，２５３，２５４を備え、その内側には枠体２６が設けられている。なお、本実施の形態では、上記の天板２４及び側板２５１，２５２，２５３，２５４は、厚さ３０ｍｍの木材で形成してある。
上記枠体２６は、本実施の形態では、板部材の短手方向を上下に直立させ、交差するよう組み合わせて、平面視井型となるよう構成されている。
上記の天板２４は、通気孔２４１が所要数設けてある。なお、本実施の形態では、上記の通気孔２４１は、天板２４の厚み方向上下に貫通しており、該通気孔２４１は直径１０ｍｍに形成され、上下左右に９０ｍｍの間隔を取って、ほぼ等間隔に設けてある。
座部２下方の各角部近傍には、取着部２７が設けられている。各取着部２７は雌ねじ２７１が設けられている。
【００２０】
なお、座部２の形状、寸法、構造は、前述されたものに限定されず、公知形状等を適宜採用してもよい。
また、枠体２６についても、形状、寸法、構造は前述のものに限定されず、例えば、平面視十字型あるいは平面視Ｘ字型等の公知形状であってもよい。更に、枠体２６をＬ字金具等の各種公知の補強部材に代えてもよいし、座部２が天板２４及び側板２５１，２５２，２５３，２５４の構成のみで所望する耐重量性能を満たす場合は、枠体２６を設けなくてもよい。
【００２１】
畳表２１は、天板２４と一対の側板２５１，２５２の表面を覆ってある。なお、本実施の形態では、畳表２１は天然のい草により形成され、該畳表２１は、天板２４と向かい合う一対の側板２５１，２５２の表面を覆い、該側板２５１，２５２下端を含んで座部２の内側に巻き込んで端部を固着してある（図２、図３、図６及び図７参照。）。
畳表２１と天板２４の間には、クッション材２８が挟み込まれている（図８及び図９参照。）。なお、本実施の形態では、クッション材２８は、麻、パーム材、ポリエステル等のいずれか又はこれらを組み合わせたものにより形成してある。
畳縁２２は、側板２５３，２５４表面と、側板２５３，２５４側の畳表２１縁部の所要幅を覆っている。なお、本実施の形態では、畳縁２２が覆う上記側板２５３，２５４側の畳表２１縁部の幅は、約８０ｍｍである。
【００２２】
座部２下方の各角部近傍には、キャスター３がそれぞれ設けてある。なお、本実施の形態でにおいては、上記キャスター３はストッパーを備え、ストッパーハンドル３１が設けられている。
また、キャスター３に替えて、支持脚４（図１１参照）を取り付けても良い。
上記キャスター３及び支持脚４は、座部２に着脱可能に構成され、着脱手段を備えている。なお、本実施の形態では、上記キャスター３及び支持脚４は、その上方に雄ねじを備えた構造となっている。
【００２３】
座部２にキャスター３または支持脚４を取り付けた場合、座部２下端からキャスター３または支持脚４の接地部までは、所要の地上高を備えるように構成してある。
なお、本実施の形態では、座部２にキャスター３を取り付けた場合、座部２下端からキャスター３の接地部までの地上高は約１２ｃｍとなるよう構成されている。また、座部２に支持脚４を取り付けた場合、座部２下端から支持脚４の接地部までの地上高は約１２ｃｍとなるよう構成されている。
各キャスター３及び各支持脚４は、それぞれ同様の構造であるため、詳細な説明を省略し、同一の符号を用いる。
【００２４】
本実施の形態では、畳表２１は天然のい草により形成されているが、これに限定するものではなく、繊維状の和紙を使用して形成されたものやポリプロピレン繊維により編まれたもの、畳の質感を再現した合成樹脂のシート等であってもよい。上記畳の質感を再現した合成樹脂のシートは、通気性を備えるものと備えないものの両方を含む。なお、該畳表は、防カビ等の観点から通気性を備えたものであることが好ましい。
【００２５】
本実施の形態では、座部２を構成する天板２４及び側板２５１，２５２，２５３，２５４及び枠体２６は、木材で形成してあるが、これに限定するものではなく、例えば竹材、金属、合成樹脂その他公知部材等又はこれらを組み合わせたものによって形成してもよい。
【００２６】
本実施の形態では、クッション材２８を構成する素材は、前述の素材に限定するものではなく、例えば、発泡ポリスチレンフォームや、ウレタンフォーム、コルクその他公知のクッション性或いは弾力性を備える素材であってもよいし、発泡ポリスチレンフォームやコルク又はインシュレーションボード等の木製繊維板を稲藁等で挟む或いは組み合わせて形成したものであってもよい。また、上記のようなクッション材は、通気性を備えるものであればより好ましい。
更に、ヒバ抽出エキス等をクッション材またはクッション材と組み合わせて使用するシート等に浸透させたものを使用してもよく、この場合、抗菌、防虫、防臭、香りによるリラクゼーション効果を期待できる。
【００２７】
（作  用）
図１乃至図１１を参照して、厚畳１の作用を説明する。
本発明に係る厚畳１を設置する。設置の態様としては、下記の態様が挙げられる。
（１）キャスター３又は支持脚４を取着しないで厚畳１を設置する。厚畳１は、座部２が箱状に構成されているので、従来の厚畳と比較して軽量であるので移動が容易である。
（２）キャスター３を取着して、厚畳１を設置する。この場合、設置希望場所まで厚畳１を押して運ぶことができる。このため、女性や子供でも、容易に設置作業を行うことができる。なお、設置時には、厚畳１をストッパーハンドル３１によりキャスター３を動かないように固定することが好ましい。
（３）支持脚４を取着して、厚畳１を設置する。
【００２８】
厚畳１にキャスター３又は支持脚４を取着した場合、所要の地上高が保たれるため、洋室等のフローリング床面のみならず屋外等の様々な場所に設置することができる。また、洋室等のフローリング床面に設置した場合、床上の埃や塵が厚畳の座面２３に上がってこないので、使用する者にとって衛生的に好ましい。
また、前述のように、厚畳は身分の高い者に使用されてきた伝統があるので、
上記厚畳は、設置した場所或いは空間又は部屋に、高級感あるいは雅趣等の印象を与えるものとすることができる。
【００２９】
畳表２１を構成する天然のい草は、設置した室内を調湿し、また、室内のホルムアルデヒドを吸着する。更に、上記畳表２１及びクッション材２８は適度な通気性を備えており、座部２の天板２１に設けられた通気孔２４１を通じて通気が行われる。これにより、畳表２１及びクッション材２８或いは天板２１にカビが発生したり、ダニが発生することを抑制する。
【００３０】
厚畳１は、収納時にキャスター３及び支持脚４を取り外してもよい。これにより、厚畳１の座部２を上下に重ねる又は座部２を縦にして横方向に並べることができるため、収納場所を取らない。
【００３１】
なお、図１には、１つの厚畳１のみが示されているが、椅子等として一つの厚畳１を使用してもよいし、２以上の厚畳１を並べて寝台または多目的スペース等として使用してもよい。
なお、厚畳１を２以上並べて使用する際は、連結具を用いて固定することが好ましい。
【００３２】
また、厚畳１は、一般家庭での使用のみならず、学校や公共スペースに備えることにより、畳の上で行う習い事や行事（例えば、茶道や華道又は作法の授業又は教室、クラブ活動又はサークル活動、かるた、座禅等）、展示会等にも使用することができる。他方、厚畳１は災害等の緊急時にはベッドや居住スペースとして使用することもできる。
【００３３】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。
【図面の簡単な説明】
【００３４】
【図１】本発明に係る厚畳の上方から見た斜視図。
【図２】本発明に係る厚畳の平面図。
【図３】本発明に係る厚畳の底面図。
【図４】本発明に係る厚畳の左側面図。
【図５】本発明に係る厚畳の右側面図。
【図６】本発明に係る厚畳の正面図。
【図７】本発明に係る厚畳の背面図。
【図８】本発明に係る厚畳のａ−ａ断面図。
【図９】本発明に係る厚畳のｂ−ｂ断面図。
【図１０】車輪を備えた厚畳を下方から見た斜視図。
【図１１】支持脚を備えた厚畳を下方から見た分解斜視説明図。
【符号の説明】
【００３５】
１      厚畳
２      座部
２１    畳表
２２    畳縁
２３    座面
２４    天板
２４１  通気孔
２５１  側板
２５２  側板
２５３  側板
２５４  側板
２６    枠体
２７    取着部
２７１  雌ねじ
２８    クッション材
３      キャスター
３１    ストッパーハンドル
４      支持脚
【図１】
2007284924.tif 000003
【図２】
2007284924.tif 000004
【図３】
2007284924.tif 000005
【図４】
2007284924.tif 000006
【図５】
2007284924.tif 000007
【図６】
2007284924.tif 000008
【図７】
2007284924.tif 000009
【図８】
2007284924.tif 000010
【図９】
2007284924.tif 000011
【図１０】
2007284924.tif 000012
【図１１】
2007284924.tif 000013